(57)【要約】【課題】バレーコードの練習に役立つバレーコード練習具を提供すること。【解決手段】人差し指１０に装着可能な筒状装着部２０を備えた、ギターのバレーコードを練習するための第１バレーコード練習具１であって、筒状装着部２０には、人差し指１０の指軸芯１１の方向に連続するリブ状突起３０ａが１本設けられており、リブ状突起３０ａは、ギターの６本の弦を同時に押圧可能に設けられている、ことを特徴とする第１バレーコード練習具１である。【選択図】図１
2020086158.tif 000002
【特許請求の範囲】
【請求項１】
人差し指に装着可能な装着部を備えた、ギターのバレーコードを練習するためのバレーコード練習具であって、
前記装着部には、前記人差し指の方向に連続する突起部が単数又は複数設けられており、
前記突起部は、前記ギターの複数の弦を同時に押圧可能に設けられている、ことを特徴とするバレーコード練習具。
【請求項２】
前記装着部は、前記人差し指の指先部以外の部位を覆う筒状部材であって、
前記突起部は、前記装着部の前記人差し指の付け根部側に対応する第１位置から前記人差し指の前記指先部側に対応する第２位置まで連続しており、
前記突起部には芯材が埋め込まれている、ことを特徴とする請求項１記載のバレーコード練習具。
【請求項３】
前記突起部の芯材の位置は、前記第１位置から前記第２位置に向かうに従って、前記筒状部材の外周方向にずれている、ことを特徴とする請求項２記載のバレーコード練習具。
【請求項４】
前記装着部は、手にはめることにより前記人差し指以外の指が露出する様に形成された手袋状部材の前記人差し指を覆う部分である、ことを特徴とする請求項１乃至３の何れか一つに記載のバレーコード練習具。
【発明の詳細な説明】
【技術分野】
【０００１】
本発明は、ギターのバレーコード練習具に関する。
【背景技術】
【０００２】
ギターのコードには様々な種類がある。通常、ギターの初心者は、まず、それらのコードの押さえ方を学び練習する。バレーコードもその一つである。
【発明の概要】
【発明が解決しようとする課題】
【０００３】
しかしながら、バレーコードは人差し指で第１弦から第６弦までの全ての弦を同時に押さえるコードであるため、多くの初心者にはこれが上手く出来ず、結局、バレーコードの壁を乗り越えられずに挫折してギターをあきらめてしまうという問題がある。
【０００４】
本発明は、この様な課題に鑑みて、バレーコードの練習に役立つバレーコード練習具を提供することを目的とする。
【課題を解決するための手段】
【０００５】
第１の本発明は、
人差し指に装着可能な装着部を備えた、ギターのバレーコードを練習するためのバレーコード練習具であって、
前記装着部には、前記人差し指の方向に連続する突起部が単数又は複数設けられており、
前記突起部は、前記ギターの複数の弦を同時に押圧可能に設けられている、ことを特徴とするバレーコード練習具である。
【０００６】
また、第２の本発明は、
前記装着部は、前記人差し指の指先部以外の部位を覆う筒状部材であって、
前記突起部は、前記装着部の前記人差し指の付け根部側に対応する第１位置から前記人差し指の前記指先部側に対応する第２位置まで連続しており、
前記突起部には芯材が埋め込まれている、ことを特徴とする上記第１の本発明のバレーコード練習具である。
【０００７】
また、第３の本発明は、
前記突起部の芯材の位置は、前記第１位置から前記第２位置に向かうに従って、前記筒状部材の外周方向にずれている、ことを特徴とする上記第２の本発明のバレーコード練習具である。
【０００８】
また、第４の本発明は、
前記装着部は、手にはめることにより前記人差し指以外の指が露出する様に形成された手袋状部材の前記人差し指を覆う部分である、ことを特徴とする上記第１乃至第３の本発明の何れか一つの本発明のバレーコード練習具である。
【発明の効果】
【０００９】
本発明によれば、バレーコードの練習に役立つという効果を発揮する。
【図面の簡単な説明】
【００１０】
【図１】（ａ）：本実施の形態の第１の構成例としての第１バレーコード練習具を左手の人差し指に装着して、その指の腹部側を見た状態を示す概略斜視図、（ｂ）：本実施の形態の第１バレーコード練習具を人差し指に装着した状態で、バレーコードを押さえている状況を模式的に示した断面模式図
【図２】（ａ）：本実施の形態の第２の構成例としての第２バレーコード練習具を左手の人差し指に装着して、その指の腹部側を見た状態を示す概略斜視図、（ｂ）：図２（ａ）に示した第２バレーコード練習具の変形例示す概略斜視図
【図３】本実施の形態２の略手袋状の形状を成した第３バレーコード練習具を、左手に装着して、その手のひら側を見た状態を模式的に示す概略模式図
【発明を実施するための形態】
【００１１】
以下に、本発明のバレーコード練習具の実施の形態について、図面を用いて説明する。
【００１２】
（実施の形態１）
本実施の形態１では、本発明のバレーコード練習具の一例として、人差し指にはめることが出来る、指サック状に形成された構成例について、図面を用いて説明する。
【００１３】
なお、本実施の形態１では、本発明のバレーコード練習具の構成例を左手の人差し指に装着した場合について説明するが、これに限定されるものではなく、下記説明は、右手の人差し指に装着した場合でも同様に適用出来る。
【００１４】
即ち、ここで説明する本発明のバレーコード練習具の構成例は、右利き用と左利き用の区別が無く、左右の何れの人差し指に装着することも出来る構成である。
【００１５】
図１（ａ）は、本実施の形態の第１の構成例としての第１バレーコード練習具１を左手の人差し指１０に装着して、その指の腹部１０ｃ側（正面）を見た状態を示す概略斜視図であり、図１（ｂ）は、本実施の形態の第１バレーコード練習具１を人差し指１０に装着した状態で、バレーコードを押さえている状況を模式的に示した断面模式図である。
【００１６】
なお、図１（ａ）、図１（ｂ）では、第１バレーコード練習具１の各部の大きさや、肉厚、或いは直径は、図面を見て分かり易くするために、誇張して描いている場合があるため、本実施の形態の第１バレーコード練習具１の各部の相対的な大小関係は、この図面に限定されるものではない。本願明細書に添付した他の図面についても同様である。
【００１７】
本実施の形態の第１バレーコード練習具１は、図１（ａ）、図１（ｂ）に示す様に、
【００１８】
（１）人差し指１０の指先部１０ａ以外の部位を覆う略筒状の筒状装着部２０と、
【００１９】
（２）筒状装着部２０に挿入された人差し指１０の付け根部１０ｂの側と指先部１０ａの側との間において連続したリブ状突起３０ａを形成する、筒状装着部２０の外周面２１に取り付けられた第１突起部３０と、を備えている。
【００２０】
なお、リブ状突起３０ａは、筒状装着部２０の人差し指１０の付け根部１０ｂ側に対応する第１端部２０ａ側の位置から、筒状装着部２０の人差し指１０の指先部１０ａ側に対応する第２端部２０ｂ側の位置まで連続して形成されている（図１（ａ）参照）。
【００２１】
また、筒状装着部２０は、様々なサイズの人差し指に装着された場合でも、装着している際に適度にフィットする様に、伸縮性を有する布製であり、また、所定サイズの布生地の端縁部同士を縫い合わせることにより、筒形状に形成したものであるが、素材や形成方法はこれに限定されるものではない。
【００２２】
また、第１突起部３０は、
【００２３】
（１）筒状装着部２０に挿入された人差し指１０を真っすぐに伸ばした際に、その人差し指の指軸芯１１の方向に沿って概ね真っすぐに位置する様に筒状装着部２０の外周面２１上に連続配置された、断面が略円形状で細長い棒状のゴム製の芯部材３１と、
【００２４】
（２）その芯部材３１を上側からカバーし、その芯部材３１の両側の縁部を位置ずれしない様に挟み込む様にして、筒状装着部２０の外周面２１に対して縫製により固定された薄手の布製の芯部材固定カバー３２と、から構成されている。
【００２５】
なお、芯部材３１や芯部材固定カバー３２の材質や固定方法はこれに限定されるものではない。
【００２６】
また、芯部材３１についても、上述したリブ状突起３０ａと同様、筒状装着部２０の人差し指１０の付け根部１０ｂ側に対応する第１端部２０ａ側の位置から、筒状装着部２０の人差し指１０の指先部１０ａ側に対応する第２端部２０ｂ側の位置まで連続して配置されている（図１（ａ）参照）。
【００２７】
また、本実施の形態では、第１突起部３０がその外周面に取り付けられた筒状装着部２０は、人差し指１０に装着した状態で、バレーコード以外のコードも自由に弾ける様にするために、人差し指１０を自由に曲げることが出来る様に、各部の素材やサイズの選定や、組み付け方法等において、柔軟性の確保を図った構成とした。
【００２８】
次に、第１バレーコード練習具１を左側の人差し指１０に装着して、ギターのバレーコードを弾く際の動作を、主として図１（ｂ）を用いて説明する。
【００２９】
即ち、まず、本実施の形態の第１バレーコード練習具１を、リブ状突起３０ａが指の腹部１０ｃ側又は親指側の側面部１０ｄ（図１（ａ）参照）に位置する様に、左側の人差し指１０に装着する。
【００３０】
なお、図１（ａ）、図１（ｂ）では、第１バレーコード練習具１を、リブ状突起３０ａが指の腹部１０ｃ側に位置する様に、左側の人差し指１０に装着した場合を示している。
【００３１】
第１バレーコード練習具１を人差し指１０に装着した状態で、ギターのバレーコードを弾くと、図１（ｂ）に示す様に、リブ状突起３０ａが第１弦１０１〜第６弦１０６の６本の全ての弦を、ギターのネック１１０側にしっかり押圧することが出来る。
【００３２】
従来の様に、人差し指１０の腹部１０ｃだけで、６本の弦を全て押圧しようとしても、初心者の場合は、何れかの弦への押圧が疎かになりがちで、上手く弾けなかった。
【００３３】
しかし、本実施の形態の第１バレーコード練習具１を利用すれば、リブ状突起３０ａが弾性を有しているので、初心者であっても、人差し指１０をギターのネック１１０側に向けて押え付けることにより、６本の全ての弦を確実に押圧することが出来る。
【００３４】
これにより、各弦の振動する長さは、リブ状突起３０ａにより押圧された位置から最もギターのブリッジ（図示省略）寄りのフレット（図示省略）と、当該ブリッジとの間により規制されるので、初心者であって、確実にバレーコードを弾くことが出来るものである。
【００３５】
この様に、本実施の形態の第１バレーコード練習具１を利用して、バレーコードを弾く練習をすることにより、初心者であっても、比較的容易にバレーコードを弾くことが出来る様になるので、バレーコードを上手く弾けないということだけで挫折して、ギターを諦めてしまうということを防止出来る。
【００３６】
即ち、バレーコードを上手く弾けない初心者の間は、本実施の形態の第１バレーコード練習具１を利用することにより、バレーコードを弾く技術を補いながら、途中で挫折することなくギターの練習を続けることが出来るので、その結果として、本実施の形態の第１バレーコード練習具１を装着しなくても、バレーコードを上手く弾く技術が徐々に身についていくことが十分に期待出来るものである。
【００３７】
次に、本発明のバレーコード練習具の他の例として、上述したリブ状突起３０ａ（図１（ａ）参照）が、２つ形成された場合の構成例について、図２（ａ）、図２（ｂ）を用いて説明する。
【００３８】
図２（ａ）は、本実施の形態の第２の構成例としての第２バレーコード練習具２を左手の人差し指１０に装着して、その指の腹部１０ｃ側を見た状態を示す概略斜視図であり、図２（ｂ）は、図２（ａ）に示した第２バレーコード練習具２の変形例示す概略斜視図である。
【００３９】
ここでは、主として図２（ａ）、図２（ｂ）を用いながら、上述した第１の構成例の第１バレーコード練習具１との相違点を中心に説明し、基本的に同じ構成には同じ符号を付した。
【００４０】
即ち、第２バレーコード練習具２には、上述した第１バレーコード練習具１と異なり、図２（ａ）に示す様に、芯部材３１が２本配置されている。また、これら２本の芯部材３１の芯部材軸芯３１ａの方向は、人差し指１０の腹部１０ｃ側を見る正面視で、人差し指の指軸芯１１の方向（図２（ａ）参照）に対して所定角θだけ傾斜する様に配置されている。これを換言すれば、２本の芯部材３１の筒状装着部２０の外周面２１上の位置は、筒状装着部２０の人差し指１０の付け根部１０ｂ側に対応する第１端部２０ａ側の位置から、筒状装着部２０の人差し指１０の指先部１０ａ側に対応する第２端部２０ｂ側の位置に向かうに従って、筒状装着部２０の外周面２１に沿った外周方向（図２（ａ）中の矢印Ａ参照）にずれている。
【００４１】
また、第１バレーコード練習具１の芯部材固定カバー３２は、正面視で略長方形状を成しているが（図１（ａ）参照）、２本の芯部材３１のそれぞれの両側の縁部を位置ずれしない様に挟み込む様にして、筒状装着部２０の外周面２１に対して縫製により固定された薄手の布製の芯部材第２固定カバー２３２は、正面視で略平行四辺形状を成している（図２（ａ）参照）。
【００４２】
即ち、第２バレーコード練習具２では、筒状装着部２０に挿入された人差し指１０の付け根部１０ｂの側と指先部１０ａの側との間において連続配置されたリブ状突起３０ａを２つ有する、筒状装着部２０の外周面２１に取り付けられた第２突起部２３０を備えている（図２（ａ）参照）。
【００４３】
以上説明した様に、図２（ａ）に示す第２バレーコード練習具２では、上述した２本の芯部材３１の芯部材軸芯３１ａの方向、即ち、２つのリブ状突起３０ａの方向が、正面視で、人差し指の指軸芯１１の方向に対して所定角θだけ傾斜する様に配置されているので、ギターの練習中に第２バレーコード練習具２が人差し指１０に装着された状態で外周方向（例えば、図２（ａ）中の矢印Ａ方向又は、その逆方向）に位置ずれしてしまった場合でも、リブ状突起３０ａが６本の弦を全て押圧出来なくなるという現象を低減させることが出来る。
【００４４】
即ち、例えば、左手の人差し指１０に第２バレーコード練習具２を装着する際に、図２（ａ）中の２つのリブ状突起３０ａの内の右側のリブ状突起３０ａにより６本の弦を全て押圧出来る位置に位置決めして装着した場合であって、練習中にその第２バレーコード練習具２が、外周方向（図２（ａ）中の矢印Ａ方向参照）に位置ずれしてしまった場合を想定する。その場合でも、その位置ずれの程度が僅かなずれであれば、例えば、右側のリブ状突起３０ａが第１弦１０１から第３弦１０３（図１（ｂ）参照）を押圧し、且つ、左側のリブ状突起３０ａが第４弦１０４から第６弦１０６（図１（ｂ）参照）を押圧することが可能であり、或いは、もう少し大きなずれであれば、右側のリブ状突起３０ａに代わり、左側のリブ状突起３０ａにより６本の弦を全て押圧することが出来るものである。
【００４５】
なお、図１（ａ）で説明した第１バレーコード練習具１の場合は、上述した通り、１つのリブ状突起３０ａが傾斜することなく真っすぐに配置されているので、第１バレーコード練習具１が、外周方向（例えば、図２（ａ）中の矢印Ａ方向、又はその逆方向）に位置ずれしてしまった場合は、リブ状突起３０ａが６本の弦を全て押圧出来なくなるという現象が生じてしまう。
【００４６】
また、ここでは、上記所定角θは、芯部材軸芯３１ａが、図２（ａ）に示す様に、人差し指１０の付け根部１０ｂ側から指先部１０ａ側に向かうに従って、筒状装着部２０の外周面２１上を矢印Ａの方向にずれる様に傾斜することで設定されている場合について説明したが、これに限らず例えば、上記所定角θは、芯部材軸芯３１ａが、図２（ａ）に示す場合と逆方向に、即ち、筒状装着部２０の外周面２１上を矢印Ａの逆方向にずれる様に傾斜することで設定されていても良い。この様に、上記所定角θが、図２（ａ）に示す場合と逆方向に設定されている場合でも、上述した図２（ａ）に示す場合の効果と同様の効果を発揮する。
【００４７】
なお、図２（ａ）に示す第２バレーコード練習具２では、芯部材第２固定カバー２３２は、正面視で略平行四辺形状を成している（図２（ａ）参照）場合について説明したが、これに限らず例えば、略長方形状を成していても良い（図２（ｂ）参照）。
【００４８】
また、図２（ａ）に示す第２バレーコード練習具２では、２本の芯部材３１が、それぞれ独立して、筒状装着部２０の外周面２１上に配置されている場合について説明したが、これに限らず例えば、２本の芯部材３１に代えて、約２倍の長さの１本の第２芯部材２３１をその中間部２３１ａで略Ｕ字形状に湾曲させて（図２（ｂ）参照）、人差し指１０の付け根部１０ｂ側に対応する第１端部２０ａ側から下方側に突き出す様に配置し、且つ、第２芯部材２３１の両端部が人差し指１０の指先部１０ａ側に対応する第２端部２０ｂ側に位置する様に配置しても良い。
【００４９】
これにより、柔軟性を有する筒状装着部２０に適度なコシの強さを持たせることが出来て、人差し指１０への装着がし易くなる。また、これにより、筒状装着部２０のどちら側が、人差し指１０の付け根部１０ｂ側に対応する部位であるかが、一目瞭然として判別出来るので、常に同じ方向で装着することが出来る。
【００５０】
なお、本実施の形態の筒状装着部２０は、本発明の装着部の一例にあたり、本実施の形態のリブ状突起３０ａは、本発明の突起部の一例にあたる。また、本実施の形態の芯部材３１や、第２芯部材２３１は、本発明の芯材の一例にあたる。
【００５１】
（実施の形態２）
本実施の形態２では、本発明のバレーコード練習具の更に他の例として、略手袋状の形状を成した構成例について、図面を用いて説明する。
【００５２】
なお、本実施の形態２では、本発明のバレーコード練習具の構成例を右利き用とした場合について説明するが、これに限定されるものではなく、下記説明は、左利き用としても同様に適用出来る。
【００５３】
但し、ここで説明する右利き用に構成された略手袋状の形状を成した第３バレーコード練習具３は、左手に装着するため右利き専用であるに対して、左利き用に構成された場合には、右手に装着するため左利き専用となる。
【００５４】
図３は、本実施の形態２の略手袋状の形状を成した第３バレーコード練習具３を、左手８に装着して、その手のひら８ａ側を見た状態を模式的に示す概略模式図である。
【００５５】
ここでは、主として図３を用いながら、上述した実施の形態１の第２バレーコード練習具２との相違点を中心に説明し、基本的に同じ構成には同じ符号を付した。
【００５６】
即ち、本実施の形態の第３バレーコード練習具３は、上述した指サック状に形成された構成（図１（ａ）〜図２（ｂ）参照）と異なり、図３に示す様に、手にはめることにより人差し指１０の指先部１０ａと、人差し指１０以外の全ての指が露出する様に形成された略手袋状の形状を成した略手袋状部材３００を備えている（図３参照）。
【００５７】
そして、第３バレーコード練習具３の略手袋状部材３００における人差し指１０が挿入可能な部位には、人差し指１０の指先部１０ａは露出させて、その指先部１０ａ以外の人差し指１０を覆う部分として、略筒状の人差し指装着部３２０（図３参照）が設けられている。
【００５８】
なお、本実施の形態の人差し指装着部３２０（図３参照）は、本発明の手袋状部材の人差し指を覆う部分の一例にあたる。
【００５９】
また、人差し指装着部３２０の手のひら８ａ側の外周面３２１、即ち、第３バレーコード練習具３を左手８に装着した場合に人差し指１０の腹部１０ｃ側に対応する側の表面に、上述した第２突起部２３０（図２（ａ）、図２（ｂ）、図３参照）が縫製等により固定されている。
【００６０】
上記構成によれば、第３バレーコード練習具３が略手袋状の形状を成しているので、手に装着しただけで、人差し指１０に対するリブ状突起３０ａの位置が定まるので、人差し指１０に対するリブ状突起３０ａの位置決めが不要であり、手への装着が簡単である。
【００６１】
また、上記構成によれば、第３バレーコード練習具３が略手袋状の形状を成しているので、ギターの練習中において、人差し指装着部３２０（図３参照）が位置ずれし難い。
【００６２】
また、第３バレーコード練習具３においても、上記実施の形態１で説明した構成例の場合と同様、バレーコードを上手く弾けないということだけで挫折して、ギターを諦めてしまうということを防止出来る。
【００６３】
即ち、バレーコードを上手く弾けない初心者の間は、本実施の形態の第３バレーコード練習具３を利用することにより、バレーコードを弾く技術を補いながら、途中で挫折することなくギターの練習を続けることが出来るので、その結果として、本実施の形態の第３バレーコード練習具３を装着しなくても、バレーコードを上手く弾く技術が徐々に身についていくことが十分に期待出来るものである。
【００６４】
なお、第３バレーコード練習具３は、薄手の生地で形成されていても良く、その場合には、指の動かし易さが確保出来る。また、手のひら８ａに対応する手のひら部分３０１がカットされていても良く、その場合は、その厚みが軽減出来るので指の動かし易さの向上を図ることが出来る。
【００６５】
なお、上記実施の形態では、芯部材３１が１本又は２本の場合について説明したが、これに限らず例えば、芯部材３１が３本以上設けられていても良い。
【００６６】
また、上記実施の形態では、芯部材３１がゴム製の部材である場合について説明したが、これに限らず例えば、芯部材３１は、弾性を有する樹脂製の部材であっても良い。また、これに限らず例えば、芯部材３１は、ゴム糸やポリウレタン弾性糸等の弾性糸を芯にして衣料用繊維の糸で被覆した丸ゴム紐や平ゴム紐であっても良いし、或いは、衣料料繊維を織ったり編んだり組んだりした弾性を有する紐状の部材であっても良い。これにより材料選定の自由度が広がる。
【００６７】
また、上記実施の形態では、芯部材固定カバー３２や芯部材第２固定カバー２３２が薄手の布製の生地である場合について説明したが、これに限らず例えば、平ゴム紐等の弾性を有する生地であっても良い。これにより材料選定の自由度が広がる。
【００６８】
また、上記実施の形態では、２本の芯部材３１を、１つの芯部材第２固定カバー２３２により固定する場合について説明したが（図２（ａ）〜図３参照）、これに限らず例えば、複数の芯部材３１を取り付ける場合、芯部材３１毎に独立した固定カバーを設けて、それぞれ別々に固定する構成としても良い。これにより製造工程の自由度が広がる。
【００６９】
また、上記実施の形態では、筒状装着部２０は、所定サイズの布生地の端縁部同士を縫い合わせることにより筒形状に形成する場合について説明したが、これに限らず例えば、端縁部同士を接着剤や超音波溶着技術等を用いて繋ぎ合わせても良い。これにより製造工程の自由度が広がる。
【００７０】
また、上記実施の形態では、芯部材固定カバー３２や芯部材第２固定カバー２３２は、筒状装着部２０や人差し指装着部３２０に対して、縫製等により固定されている場合について説明したが、これに限らず例えば、縫製に代えて接着剤や超音波溶着技術等を用いて繋ぎ合わせても良い。これにより製造工程の自由度が広がる。
【００７１】
また、上記実施の形態では、芯部材固定カバー３２や芯部材第２固定カバー２３２は、筒状装着部２０や人差し指装着部３２０に対して固定されている場合について説明したが、これに限らず例えば、面ファスナー等を利用して着脱可能に構成されていても良い。これにより、芯部材固定カバー３２や芯部材第２固定カバー２３２の、筒状装着部２０や人差し指装着部３２０に対する取付位置や傾斜角度を、自らの好みに合わせて自由に調整できるので、使用性が向上する。
【００７２】
また、上記実施の形態２の第３バレーコード練習具３（図３）では、人差し指装着部３２０に対して、第２突起部２３０（図２（ａ）、図２（ｂ）参照）を取り付けた場合について説明したが、これに限らず例えば、第１突起部３０（図１（ａ）参照）を取り付けた構成であっても良いし、或いは、リブ状突起３０ａを３つ以上配置した構成であっても良い。
【００７３】
また、上記実施の形態では、芯部材３１を芯部材固定カバー３２（又は、芯部材第２固定カバー２３２）によりカバーして固定する場合について説明したが、これに限らず例えば、芯部材固定カバー３２（又は、芯部材第２固定カバー２３２）を使用せず、芯部材３１を筒状装着部２０に固定し、ギターの弦（図１（ｂ）の符号１０１、１０３、１０４、１０６参照）を芯部材３１により直接押圧出来る構成としても良い。この構成の場合、芯部材３１によりギターの弦を安定して押圧することが出来る様に、芯部材３１と筒状装着部２０との接触面積を大きくするために、例えば断面が略円形状の芯部材３１と筒状装着部２０との隙間に接着剤が充填される様にして固定する構成としても良いし、例えば断面が略長方形状の芯部材の長辺側を筒状装着部２０側と接着剤により接着させる構成としても良い。なお、この構成と同様に、上述した第３バレーコード練習具３において、芯部材第２固定カバー２３２を使用せず、芯部材３１を人差し指装着部３２０（図３参照）に固定する構成としても良い。
【００７４】
また、上記実施の形態では、芯部材３１を、正面視で人差し指１０の指軸芯１１の方向（図１（ａ）参照）に沿って配置した場合、或いは、所定角θ（図２（ａ）参照）だけ傾斜させて配置した場合について説明したが、これに限らず例えば、単数又は複数の芯部材３１を筒状装着部２０の外周面２１に沿って螺旋状に配置した構成としても良い。
【００７５】
また、上記実施の形態で説明した筒状装着部２０又は、第３バレーコード練習具３の略手袋状の形状を成した略手袋状部材３００は、薄手の布製で構成されている場合について説明したが、これに限らず例えば、メッシュ状の部材で構成されていても良い。
【００７６】
また、上記実施の形態では、筒状装着部２０（又は、人差し指装着部３２０）は、人差し指１０の指先部１０ａを露出させて、人差し指１０の指先部１０ａ以外の部位を覆う略筒状の形状を成している場合について説明したが、これに限らず例えば、指先部１０ａを露出させること無く、人差し指１０の全体を覆う形状としても良い。
【産業上の利用可能性】
【００７７】
本発明のバレーコード練習具によれば、バレーコードの練習に役立つという効果を発揮し、例えば、ギターのバレーコード練習具等に適用出来て有用である。
【符号の説明】
【００７８】
１      第１バレーコード練習具
２      第２バレーコード練習具
３      第３バレーコード練習具
１０    人差し指
１１    指軸芯
２０    筒状装着部
２０    筒状装着部
２０ａ  第１端部
２０ｂ  第２端部
２１    外周面
３０    第１突起部
３０ａ  リブ状突起
３１    芯部材
３２    芯部材固定カバー
１０１  第１弦
１０３  第３弦
１０４  第４弦
１０６  第６弦
１１０  ギターのネック
【図１】
2020086158.tif 000003
【図２】
2020086158.tif 000004
【図３】
2020086158.tif 000005
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
人差し指に装着可能な装着部を備えた、ギターのバレーコードを練習するためのバレーコード練習具であって、
前記装着部には、前記人差し指の方向に連続する突起部が単数又は複数設けられており、
前記突起部は、前記ギターの複数の弦を同時に押圧可能に設けられており、
前記突起部の長さが、前記人差し指の方向を基準として、前記ギターのネックの幅と等しい若しくは前記ネックの幅より長く、
前記装着部は、前記人差し指の指先部以外の部位を覆う筒状部材であって、
前記突起部は、前記装着部の前記人差し指の付け根部側に対応する第１位置から前記人差し指の前記指先部側に対応する第２位置まで連続しており、
前記突起部には芯材が埋め込まれており、
前記突起部の芯材の位置は、前記第１位置から前記第２位置に向かうに従って、前記筒状部材の外周方向にずれている、ことを特徴とするバレーコード練習具。
【請求項２】
前記装着部は、手にはめることにより前記人差し指以外の指が露出する様に形成された手袋状部材の前記人差し指を覆う部分である、ことを特徴とする請求項１記載のバレーコード練習具。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
人差し指に装着可能な装着部を備えた、ギターのバレーコードを練習するためのバレーコード練習具であって、
前記装着部には、前記人差し指の方向に連続する突起部が単数又は複数設けられており、
前記突起部は、前記ギターの６本の弦を同時に押圧可能に設けられており、
前記装着部は、前記人差し指の指先部以外の部位を覆う筒状部材であって、
前記突起部は、前記装着部の前記人差し指の付け根部側に対応する第１位置から前記人差し指の前記指先部側に対応する第２位置まで連続しており、
前記突起部には芯材が埋め込まれており、
前記突起部の芯材の位置は、前記第１位置から前記第２位置に向かうに従って、前記筒状部材の外周方向にずれている、ことを特徴とするバレーコード練習具。
【請求項２】
前記装着部は、手にはめることにより前記人差し指以外の指が露出する様に形成された手袋状部材の前記人差し指を覆う部分である、ことを特徴とする請求項１記載のバレーコード練習具。